(57)【特許請求の範囲】
【請求項１】
エレクションピースが取り付けられている下側の鉄骨柱に、エレクションピースが取り付けられている上側の鉄骨柱を接合するために用いられる鉄骨建入直し調整治具であって、
前記上側の鉄骨柱のエレクションピースに取付可能な上側取付部と、
前記下側の鉄骨柱のエレクションピースに取付可能な下側取付部とを備え、
前記上側取付部および／または前記下側取付部には、前記下側の鉄骨柱に対する前記上側の鉄骨柱の水平方向位置を調整するための水平方向位置調整手段が設けられており、
前記水平方向位置調整手段は、
前記エレクションピースの前方に対向配置され、そのエレクションピースの両側に挿入可能な右側挿入部材および左側挿入部材と、前記右側挿入部材および前記左側挿入部材が進退自在に挿入される支持部とを備えており、
前記右側挿入部材および前記左側挿入部材の先端部には、前記エレクションピースに当接可能な傾斜面が形成されていることを特徴とする、鉄骨建入直し調整治具。
【請求項２】
前記上側取付部および／または前記下側取付部は、前記エレクションピースを挟んで両側に対向配置される右側ベースプレートおよび左側ベースプレートを備えており、
前記右側挿入部材および前記左側挿入部材の先端部は、前記傾斜面を有する楔状をなし、
前記右側挿入部材の先端部は、前記右側ベースプレートと前記エレクションピースの右側面との間に挿入されるとともに、前記左側挿入部材の先端部は、前記左側ベースプレートと前記エレクションピースの左側面との間に挿入されることを特徴とする、請求項１に記載の鉄骨建入直し調整治具。
【請求項３】
前記右側挿入部材および前記左側挿入部材の先端部に形成される傾斜面が、前記エレクションピースの角に当接されるように、前記右側挿入部材および前記左側挿入部材が、前記支持部に挿入されていることを特徴とする、請求項１または２に記載の鉄骨建入直し調整治具。
【請求項４】
前記右側挿入部材および前記左側挿入部材は、楔状に形成される前記先端部に連結される軸部を備え、前記軸部には螺着部が形成されるとともに、前記軸部は、前記先端部に対して相対回転可能に連結されており、
前記右側挿入部材および前記左側挿入部材の螺着部が、前記支持部に螺着されていることを特徴とする、請求項２または３に記載の鉄骨建入直し調整治具。
【請求項５】
前記支持部が、前記上側取付部および／または前記下側取付部に一体的に設けられていることを特徴とする、請求項１ないし４のいずれかに記載の鉄骨建入直し調整治具。
【請求項６】
右側ベースプレートまたは左側ベースプレートには、前記水平方向位置調整手段による前記下側の鉄骨柱に対する前記上側の鉄骨柱の水平方向位置の調整後に、前記エレクションピースの移動を規制するための移動規制手段を備えていることを特徴とする、請求項３ないし５のいずれかに記載の鉄骨建入直し調整治具。
【発明の詳細な説明】
【０００１】
【発明の属する技術分野】
本発明は、下側の鉄骨柱に上側の鉄骨柱を接合するために用いられる鉄骨建入直し調整治具に関する。
【０００２】
【従来の技術】
従来より、建設現場において、下側の鉄骨柱に上側の鉄骨柱を接合する時には、まず、クレーンによって上側の鉄骨柱を吊り上げて、下側の鉄骨柱の上方に配置した後、治具を用いて、これら下側の鉄骨柱と上側の鉄骨柱とを連結させた後、その下側の鉄骨柱の上端部と上側の鉄骨柱の下端部とを溶接または高力ボルトによって、接合するようにしている。
【０００３】
このような治具としては、たとえば、特開平８−１８９２０１号公報に記載されるものが知られている。すなわち、特開平８−１８９２０１号公報に記載される治具は、エレクションピースの側面を遊動自在に挟持できるように構成されており、この挟持部分に、その先端がエレクションピースの両側面にそれぞれ対接可能な１対の水平位置調整ボルトが螺合されている。そして、この治具では、下側の鉄骨柱に上側の鉄骨柱を連結する時に、１対の水平位置調整ボルトをそれぞれ進退させてエレクションピースの両側面を調整しながら押圧することにより、下側の鉄骨柱に対する上側の鉄骨柱の水平方向位置を調整して、これら下側の鉄骨柱と上側の鉄骨柱とを連結するようにしている。
【０００４】
【発明が解決しようとする課題】
しかし、特開平８−１８９２０１号公報に記載される治具では、水平位置調整ボルトを挟持部分に螺合させ、これを螺進および螺退させることにより、直接、エレクションピースの両側面を押圧するので、エレクションピースの移動を微調整することが煩雑かつ困難で、また、その挟持部分や水平位置調整ボルトの耐力などによっては、それらが損傷あるいは変形して、確実な水平方向位置の調整を行なうことができない場合があり、さらには、修理や廃棄の必要を生じるという不具合がある。
【０００５】
さらに、エレクションピースの側面を水平位置調整ボルトによって押圧する場合には、エレクションピースの側面に対して直交する方向からの押圧力のみが作用するので、水平方向位置の調整後における確実な位置固定ができず、その後に、たとえば、鉛直方向位置を調整した時に、折角調整した水平方向位置がずれるという不具合を生じる場合がある。
【０００６】
本発明は、このような不具合に鑑みなされたものであり、その目的とするところは、簡易な構成および操作によって、エレクションピースの移動を微調整して、確実な水平方向位置の調整および固定を行なうことができ、しかも、水平方向位置の調整後における確実な位置固定を実現することのできる鉄骨建入直し調整治具を提供することにある。
【０００７】
【課題を解決するための手段】
上記の目的を達成するため、請求項１に記載の発明は、エレクションピースが取り付けられている下側の鉄骨柱に、エレクションピースが取り付けられている上側の鉄骨柱を接合するために用いられる鉄骨建入直し調整治具であって、前記上側の鉄骨柱のエレクションピースに取付可能な上側取付部と、前記下側の鉄骨柱のエレクションピースに取付可能な下側取付部とを備え、前記上側取付部および／または前記下側取付部には、前記下側の鉄骨柱に対する前記上側の鉄骨柱の水平方向位置を調整するための水平方向位置調整手段が設けられており、前記水平方向位置調整手段は、前記エレクションピースの前方に対向配置され、そのエレクションピースの両側に挿入可能な右側挿入部材および左側挿入部材と、前記右側挿入部材および前記左側挿入部材が進退自在に挿入される支持部とを備えており、前記右側挿入部材および前記左側挿入部材の先端部には、前記エレクションピースに当接可能な傾斜面が形成されていることを特徴としている。
【０００８】
このような構成によると、エレクションピースの前方から、支持部に進退自在に挿入されている右側挿入部材を、その傾斜面がエレクションピースの右側に当接するように挿入すれば、右側挿入部材の挿入とともに、エレクションピースがその傾斜面の傾斜方向に沿って徐々に移動される。また、エレクションピースの前方から、支持部に進退自在に挿入されている左側挿入部材を、その傾斜面がエレクションピースの左側に当接するように挿入すれば、左側挿入部材の挿入とともに、エレクションピースがその傾斜面の傾斜方向に沿って徐々に移動される。そのため、このような右側挿入部材および左側挿入部材のエレクションピースの両側に対する選択的な挿入によって、エレクションピースを水平方向両方向において徐々に移動させることができ、また、挿入方向に押圧することができる。そのため、簡易かつ確実に、エレクションピースの移動を微調整して、下側の鉄骨柱に対する上側の鉄骨柱の水平方向位置を調整および固定することができる。
【０００９】
しかも、右側挿入部材および左側挿入部材は、傾斜面においてエレクションピースと当接されるので、損傷や変形が少なく、長期にわたって使用することができる。
【００１０】
さらに、右側挿入部材および左側挿入部材は、支持部に挿入されており、その支持部からそれぞれ進退させるのみで、各傾斜面をエレクションピースに当接させることができるので、簡易な操作によって、確実な作業を達成することができる。
【００１１】
また、請求項２に記載の発明は、請求項１に記載の発明において、前記上側取付部および／または前記下側取付部は、前記エレクションピースを挟んで両側に対向配置される右側ベースプレートおよび左側ベースプレートを備えており、前記右側挿入部材および前記左側挿入部材の先端部は、前記傾斜面を有する楔状をなし、前記右側挿入部材の先端部は、前記右側ベースプレートと前記エレクションピースの右側面との間に挿入されるとともに、前記左側挿入部材の先端部は、前記左側ベースプレートと前記エレクションピースの左側面との間に挿入されることを特徴としている。
【００１２】
このような構成によると、楔状とされた右側挿入部材の先端部を右側ベースプレートとエレクションピースの右側面との間に挿入し、また、これとは選択的に、楔状とされた左側挿入部材の先端部を左側ベースプレートとエレクションピースの左側面との間に挿入することによって、エレクションピースの移動をより一層確実に微調整することができる。そのため、下側の鉄骨柱に対する上側の鉄骨柱の水平方向位置の調整および固定を、より一層、簡易かつ確実に達成することができる。
【００１３】
また、請求項３に記載の発明は、請求項１または２に記載の発明において、前記右側挿入部材および前記左側挿入部材の先端部に形成される傾斜面が、前記エレクションピースの角に当接されるように、前記右側挿入部材および前記左側挿入部材が、前記支持部に挿入されていることを特徴としている。
【００１４】
このような構成によると、右側挿入部材および前記左側挿入部材の先端部に形成される傾斜面は、エレクションピースの角に当接されるので、右側挿入部材および前記左側挿入部材からの押圧力は、エレクションピースに対して、エレクションピースの側面に沿う方向と、それに直交する方向、つまり、鉄骨柱の周方向との分力として作用する。そして、鉄骨柱の周方向に作用する分力によって、水平方向位置の調整を確実に達成することができるとともに、エレクションピースの側面に沿う方向の分力によって、水平方向位置の調整後において、エレクションピースを位置固定することができる。そのため、水平方向位置の調整後における位置固定ができ、たとえば、その後に、鉛直方向位置を調整した時にも、水平方向位置がずれることを有効に防止することができる。
【００１５】
また、請求項４に記載の発明は、請求項２または３に記載の発明において、前記右側挿入部材および前記左側挿入部材は、楔状に形成される前記先端部に連結される軸部を備え、前記軸部には螺着部が形成されるとともに、前記軸部は、前記先端部に対して相対回転可能に連結されており、前記右側挿入部材および前記左側挿入部材の螺着部が、前記支持部に螺着されていることを特徴としている。
【００１６】
このような構成によると、右側挿入部材および左側挿入部材の螺着部が支持部に螺着されているので、右側挿入部材および左側挿入部材の軸部を螺進または螺退させることにより、より一層確実に、右側挿入部材および左側挿入部材を進退させて、先端部に形成される傾斜面を正確にエレクションピースに当接させることができる。
【００１７】
また、この構成では、軸部が螺進または螺退によって回転しても、軸部が先端部に対して相対回転可能に連結されているので、先端部を回転させることなくエレクションピースに対して進退させることができる。そのため、より一層確実な作業を達成することができる。
【００１８】
また、請求項５に記載の発明は、請求項１ないし４のいずれかに記載の発明において、前記支持部が、前記上側取付部および／または前記下側取付部に一体的に設けられていることを特徴としている。
【００１９】
このような構成によると、支持部が、上側取付部および／または下側取付部に一体的に設けられているので、右側挿入部材および左側挿入部材の進退方向の精度を向上させることができるとともに、剛性の強度アップを図ることができ、さらには、簡易な成形によって、鉄骨建入直し調整治具を製造することができ、製造コストの低減化を図ることができる。
【００２０】
また、請求項６に記載の発明は、請求項３ないし５のいずれかに記載の発明において、右側ベースプレートまたは左側ベースプレートには、前記水平方向位置調整手段による前記下側の鉄骨柱に対する前記上側の鉄骨柱の水平方向位置の調整後に、前記エレクションピースの移動を規制するための移動規制手段を備えていることを特徴としている。
【００２１】
このような構成によると、水平方向位置調整手段による下側の鉄骨柱に対する上側の鉄骨柱の水平方向位置の調整後に、移動規制手段によりエレクションピースの移動を規制すれば、下側の鉄骨柱に接合された上側の鉄骨柱に、横梁などが組み付けられた場合において、その横梁の組み付け精度の誤差や、材料の残留応力、さらには、溶接時の引っ張り応力などによって、下側の鉄骨柱と上側の鉄骨柱との間の接合部分に変形応力が作用しても、その接合部分における位置ずれを有効に防止することができる。
【００２２】
しかも、この構成では、右側挿入部材および前記左側挿入部材からの押圧力によっても、エレクションピースを位置固定することができるので、移動規制手段は、右側ベースプレートまたは左側ベースプレートのいずれか一方のみに設ければよく、部品点数の低減化によるコストの低減化を図ることができる。
【００２３】
【発明の実施の形態】
図１は、本発明の鉄骨建入直し調整治具の一実施形態としての治具を示す斜視図、図２は、図１に示す治具のジャッキ装置の要部断面図、図３は、図１に示す治具の水平方向調整装置の支持部の要部斜視図、図４は、図１に示す治具の水平方向調整装置の右側挿入部材の要部断面図、図５は、図１に示す治具の水平方向調整装置の要部斜視図、図６は、図１に示す治具を上側エレクションピースに連結した状態を示す正面図、図７は、図１に示す治具を上側エレクションピースおよび下側エレクションピースに連結した状態を示す正面図、図８ないし図１１は、図１に示す治具の水平方向調整装置の使用状態を説明するための平面断面図、図１２は、図１に示す治具のジャッキ装置の使用状態を説明するための斜視図、図１３は、図１に示す治具の使用状態を示す正面図、図１４は、図１に示す治具に用いられる歯付き固定ボルトの一実施形態を示す、（ａ）は斜視図、（ｂ）は側断面図、図１５は、上側の鉄骨柱に横梁が組み付けられた状態を示す概略説明図である。これら図１ないし図１５を参照して、本発明の鉄骨建入直し調整治具の一実施形態について説明する。
【００２４】
図１、図６および図７において、この治具１は、治具本体２、ジャッキ装置３および水平方向位置調整手段としての水平方向調整装置４を備えている。
【００２５】
治具本体２は、下方が開放される略逆Ｕ字板状をなし、互いに所定の間隔を隔てて対向する右側ベースプレート５および左側ベースプレート６と、これら右側ベースプレート５および左側ベースプレート６の上端部を連結する上側ベースプレート７とが一体として形成されており、その下部には、右側ベースプレート５と左側ベースプレート６との間を前方側において連結する２つの連結プレート８を備えている。
【００２６】
そして、右側ベースプレート５および左側ベースプレート６における上部が、後述する上側エレクションピース６５に取付可能な上側取付部９とされ、また、右側ベースプレート５および左側ベースプレート６における下部が、後述する下側エレクションピース６３に取付可能な下側取付部１０とされている。
【００２７】
上側取付部９には、後で詳述する水平方向調整装置４が設けられるとともに、上側エレクションピース６５の上側挿通孔６６に挿通される上側挿通ボルト１１が、右側ベースプレート５および左側ベースプレート６に螺着されている。また、上側エレクションピース６５の右側面に当接可能な２つの移動規制手段としての上側固定ボルト１２および１３が、右側ベースプレート５において、上側挿通ボルト１１の上下方向両側において、それぞれ螺着されている。
【００２８】
また、下側取付部１０には、下側エレクションピース６３の下側挿通孔６４に挿通される下側挿通ボルト１４が、右側ベースプレート５および左側ベースプレート６に螺着されるとともに、下側エレクションピース６３の左側面に当接可能な２つの下側固定ボルト１５および１６が、左側ベースプレート６において、下側挿通ボルト１４の上下方向両側において、それぞれ螺着されている。
【００２９】
また、上側ベースプレート７には、上側エレクションピース６５の上面に当接される上部固定ボルト１７が螺着されている。
【００３０】
また、２つの連結プレート８は、下側取付部１０における右側ベースプレート５および左側ベースプレート６の間において、互いに所定の間隔を隔てて上下方向に平行する状態で、略コ字状に前方に向かって突出するように形成されている。
【００３１】
また、ジャッキ装置３は、上側取付部９と下側取付部１０との間であって、右側ベースプレート５と左側ベースプレート６との間の空間において、治具本体２に、ねじ４１および４２を介して取り付けられている略Ｕ字状のバンドホルダ４３によって支持されている。
【００３２】
すなわち、このジャッキ装置３は、１つのユニットとして構成され、図２に示すように、ジャッキ本体４４、プランジャ部材４５、ピストン部材４６、受け部材４７およびばね４８などを備えている。
【００３３】
ジャッキ本体４４は、略Ｌ字円筒形状をなし、プランジャ部材４５が収容されるプランジャ筒部４９と、そのプランジャ筒部４９から略直角上方に延び、ピストン部材４６が収容されるピストン筒部５０とが一体に形成されており、プランジャ筒部４９内とピストン筒部５０内とは、連通路５１によって連通されている。
【００３４】
プランジャ部材４５は、軸方向に沿ってねじ山が形成されるプランジャ軸５２と、そのプランジャ軸５２の一端に設けられるボルト頭部５３と、その他端に設けられるプランジャ５４とからなり、プランジャ５４がシールされた状態でプランジャ筒部４９内に挿入されるとともに、プランジャ軸５２が、プランジャ筒部４９の遊端部に設けられているシールナット５５に螺進および螺退可能に螺着されている。
【００３５】
また、ピストン部材４６は、大径部５６と小径軸部５８とが一体に形成されており、大径部５６がシールされるとともに、小径軸部５８のまわりにばね４８が配置された状態で、ピストン筒部５０内に収容され、その状態において、ピストン筒部５０の先端に、小径軸部５８を進退自在に挿通する蓋５７が設けられている。また、小径軸部５８の先端部には、上側エレクションピース６５の下面を受ける溝が形成されている円板状の受け部材４７がボルトを介して取り付けられている。
【００３６】
そして、プランジャ筒部４９内、ピストン筒部５０内および連通路５１内には、オイルが充填されており、レンチ５９（図１２参照）によってボルト頭部５３をプランジャ軸５２の螺進方向に回動させれば、油圧により、ピストン部材４６が移動して受け部材４７が上昇し、一方、レンチ５９によってボルト頭部５３をプランジャ軸５２の螺退方向に回動させれば、ばね４８の付勢力により、ピストン部材４６が逆方向に移動して、受け部材４７が下降される。
【００３７】
また、水平方向調整装置４は、上側取付部９における右側ベースプレート５および左側ベースプレート６の前方側に設けられており、支持部２１と、右側挿入部材２２と、左側挿入部材２３とを備えている。
【００３８】
支持部２１は、上側取付部９に一体に設けられており、図１に示すように、上側取付部９における右側ベースプレート５および左側ベースプレート６の間を連結するように前方に突出する平面視略Ｕ字板状をなし、上側エレクションピース６５を遊嵌し得る隙間を隔てて対向配置される右側壁部２４および左側壁部２５と、それら右側壁部２４および左側壁部２５の前端部を連結し、前方に向かってややＶ字状に湾曲する前壁部２６とが一体に形成されている。
【００３９】
右側壁部２４には、後述する右側挿入部材２２の挿入方向を案内するための右側ガイド溝２７が形成されている。この右側ガイド溝２７は、図３に示すように、側面視略矩形状かつ平面視略三角形状をなし、右側壁部２４における左側壁部２５に対向する内側面の上下方向中央部に、右側壁部２４の前端部から後端部に向かって水平方向の厚みが次第に小さくなるような深さで、右側壁部２４の長手方向に沿って形成されている。
【００４０】
これによって、右側ガイド溝２７は、右側壁部２４の内側面において、前端部が深く、後端部が浅いテーパ状（傾斜状）に形成され、後述する右側挿入部材２２の先端部３４ａを傾斜状に受け入れるように形成されている。
【００４１】
また、左側壁部２５にも、後述する左側挿入部材２３の挿入方向を案内するための左側ガイド溝２８が形成されている。この左側ガイド溝２８は、側面視略矩形状かつ平面視略三角形状をなし、左側壁部２５における右側壁部２４に対向する内側面の上下方向中央部に、左側壁部２５の前端部から後端部に向かって水平方向の厚みが次第に小さくなるような深さで、左側壁部２５の長手方向に沿って形成されている。
【００４２】
これによって、左側ガイド溝２８は、左側壁２５の内側面において、前端部が深く、後端部が浅いテーパ状（傾斜状）に形成され、後述する左側挿入部材２３の先端部３４ｂを傾斜状に受け入れるように形成されている。
【００４３】
また、前壁部２６には、右側挿入部材２２および左側挿入部材２３を挿入して螺着させるための右側螺着孔２９および左側螺着孔３０が所定の間隔を隔てて並列状に設けられている。
【００４４】
右側螺着孔２９は、前壁部２６の右側部を前後方向（右側ガイド溝２７の傾斜方向）に貫通するように円筒状に形成され、その内周面には、後述する右側挿入部材２２の螺着部３６ａのねじ山が螺着されるねじ溝３１が、上述した右側ガイド溝２７の傾斜方向に沿って形成されている。
【００４５】
左側螺着孔３０は、前壁部２６の左側部を前後方向（左側ガイド溝２８の傾斜方向）に貫通するように円筒状に形成され、その内周面には、後述する左側挿入部材２３の螺着部３６ｂのねじ山が螺着されるねじ溝３２が、上述した左側ガイド溝２８の傾斜方向に沿って形成されている。
【００４６】
また、右側挿入部材２２は、図４に示すように、円柱状の軸部３３ａと、その軸部３３ａに連結される先端部３４ａとを備えている。
【００４７】
軸部３３ａは、後端軸部３５ａと、後端軸部３５ａから軸方向に延びる螺着部３６ａと、螺着部３６ａから軸方向に延びる前端軸部３７ａとが一体に形成されている。後端軸部３５ａは、工具（レンチ）を嵌合させるための略六角ナット状に形成されている。また、螺着部３６ａの表面には、支持部２１に形成される右側螺着孔２９に螺着させるためのねじ山が形成されている。また、前端軸部３７ａは、後述する先端部３４ａの連結溝部４０に嵌入される略半球状の頭部３８と、この頭部３８と螺着部３６ａとを連結するための頭部３８よりも小径の連結軸部３９とが一体に形成されている。
【００４８】
先端部３４ａは、平面視において軸部３３ａに連結される基端から先端に向かって先細状に形成される楔形をなし、その外側面８１ａが軸部３３ａの軸方向に対して平行方向に延びるとともに、その内側面が、基端から先端に向かって外側（支持部２１に挿入された状態における右側壁部２４側）に傾斜する傾斜面８２ａとされている。また、先端部３４ａの基端部には、基端側に向かって開口するような平断面視略矩形状の連結溝部４０が形成されており、この連結溝部４０において、軸部３３ａの前端軸部３７ａを受け入れるようにしている。
【００４９】
そして、先端部３４ａの連結溝部４０に受け入れられた前端軸部３７ａは、連結軸部３９の両側において、頭部３８の直径よりも狭い間隔で先端部３４ａの厚さ方向に沿って立設されている２つのピン部材９１ａ、９１ａによって、先端部３４ａから抜け止めされるとともに、先端部３４ａに対して相対回転可能に連結される。
【００５０】
また、左側挿入部材２３も、図８に示すように、上述した右側挿入部材２２と同様に、後端軸部３５ｂと、螺着部３６ｂと、前端軸部３７ｂとが一体に形成される軸部３３ｂと、その軸部３３ｂに連結される先端部３４ｂとを備えている。そして、先端部３４ｂが、軸部３３ｂに連結される基端から先端に向かって先細状に形成される楔形をなし、その外側面８１ｂが軸部３３ｂの軸方向に対して平行方向に延びるとともに、その内側面が、基端から先端に向かって外側（支持部２１に挿入された状態における左側壁部２５側）に傾斜する傾斜面８２ｂとされている。
【００５１】
また、先端部３４ｂの連結軸部（図示せず）に受け入れられた前端軸部３７ｂは、連結軸部の両側において、前端軸部３７ａの頭部（図示せず）の直径よりも狭い間隔で先端部３４ｂの厚さ方向に沿って立設されている２つのピン部材９１ｂ、９１ｂによって、先端部３４ｂから抜け止めされるとともに、先端部３４ｂに対して相対回転可能に連結される。
【００５２】
そして、図５に示すように、右側挿入部材２２は、その軸部３３ａの螺着部３６ａが支持部２１の右側螺着孔２９に螺着されるとともに、その先端部３４ａが右側ガイド溝２７内に挿入されるように支持部２１に組み付けられる。これによって、右側挿入部材２２の軸部３３ａを螺進および螺退させれば、その先端部３４ａは、軸部３３ａと伴回りすることなく、右側ガイド溝２７に沿って進退される。
【００５３】
また、左側挿入部材２３は、その軸部３３ｂの螺着部３６ｂが支持部２１の左側螺着孔３０に螺着されるとともに、その先端部３４ｂが左側ガイド溝２８内に挿入されるように支持部２１に組み付けられる。これによって、左側挿入部材２３の軸部３３ｂを螺進および螺退させれば、その先端部３４ｂは、軸部３３ｂと伴回りすることなく、左側ガイド溝２８に沿って進退される。
【００５４】
そして、このように右側螺着孔２９および左側螺着孔３０に挿入される右側挿入部材２２および左側挿入部材２３は、先端部３４ａおよび３４ｂに形成される傾斜面８２ａおよび８２ｂが後述する上側エレクションピース６５の左右の角にそれぞれ当接されるような配置で、支持部２１において、互いにハの字状に傾斜するように支持部２１に支持されている。
【００５５】
なお、支持部２１は、上側取付部９に一体に設けられているので、右側挿入部材２２および左側挿入部材２３の進退方向の精度を向上させることができるとともに、剛性の強度アップを図ることができ、さらには、簡易な成形によって、治具１を製造することができ、製造コストの低減化が図られている。
【００５６】
また、この治具１において、上側取付部９における右側ベースプレート５および左側ベースプレート６の間は、下側取付部１０における右側ベースプレート５および左側ベースプレート６の間よりも幅広に形成されており、これによって、後述するように、下側エレクションピース６３に対する下側取付部１０の確実な取り付けを図るとともに、上側エレクションピース６５に対する水平方向調整装置４による水平方向位置の調整を容易にしている。
【００５７】
また、この治具１では、下側取付部１０における互いに対向する右側ベースプレート５および左側ベースプレート６の間が、その互いに対向する対向距離が下端縁部に向かって拡がるように形成されており、これによって、下側エレクションピース６３を良好に誘い込むことができるようにされている。
【００５８】
さらに、この治具１では、上側固定ボルト１２および１３、下側固定ボルト１５および１６、上部固定ボルト１７は、図１４（ａ）および（ｂ）に示すように、歯付き固定ボルト７１として構成されている。すなわち、この歯付き固定ボルト７１は、工具（レンチ）によって回転させるための頭部７２と、頭部７２から軸方向に延び、右側ベースプレート５または左側ベースプレート６に形成される各螺着孔に螺着するためのねじ山が形成されている螺合部７３と、その螺合部７３の先端部に、上側エレクションピース６５または下側エレクションピース６３の表面に食い込み可能な歯部７４とが形成されている。この歯部７４は、略円筒形状をなし、その先端部が円環状の楔状に形成されており、上側エレクションピース６５または下側エレクションピース６３の表面に食い込んで確実な固定を確保している。
【００５９】
また、この治具１では、上側固定ボルト１２および１３、下側固定ボルト１５および１６、上部固定ボルト１７を、１つの工具（レンチ）で作業できるように、すべて同一形状の歯付き固定ボルト７１として形成されており、現場における高所作業の利便性を図っている。
【００６０】
次に、図６ないし図１３を参照して、この治具１を用いて、下側の鉄骨柱６１の上に、上側の鉄骨柱６２を連結する方法について説明する。
【００６１】
下側の鉄骨柱６１は、既にその下端部が他の鉄骨柱に接合された状態にある鉄骨柱であって、たとえば、その断面形状が略四角形状をなし、その上端部および下端部において、外周面の各辺の中央部に、４つの略矩形板状の下側エレクションピース６３が、この下側の鉄骨柱６１の周方向に対する直交方向において、それぞれ溶接固定されている。また、各下側エレクションピース６３の中央部には、図６に示すように、クレーンの吊り具（図示せず）を挿通するために用いられる下側挿通孔６４が、厚さ方向を貫通するようにして、それぞれ形成されている。
【００６２】
また、上側の鉄骨柱６２は、これから、その下端部を下側の鉄骨柱６１の上端部に接合しようとする鉄骨柱であって、たとえば、その断面形状が略四角形状をなし、その上端部および下端部において、外周面の各辺の中央部に、４つの略矩形板状の上側エレクションピース６５が、この上側の鉄骨柱６２の周方向に対する直交方向において、それぞれ溶接固定されている。また、各上側エレクションピース６５の中央部には、図６に示すように、クレーンの吊り具（図示せず）を挿通するために用いられる上側挿通孔６６が、厚さ方向を貫通するようにして、それぞれ形成されている。
【００６３】
そして、この方法では、まず、上側の鉄骨柱６２の下端部に設けられている４つの上側エレクションピース６５のそれぞれに、４つの治具１をそれぞれ連結する。各治具１を各上側エレクションピース６５に連結するには、図６に示すように、治具１の上側取付部９における右側ベースプレート５および左側ベースプレート６の間に上側エレクションピース６５を挿入して挟んだ後、上側挿通ボルト１１を、上側エレクションピース６５の上側挿通孔６６に挿通するとともに、これら右側ベースプレート５および左側ベースプレート６に螺着させる。これによって、この治具１が、上側エレクションピース６５に連結される。
【００６４】
次いで、この上側の鉄骨柱６２をクレーンによって吊り上げて、下側の鉄骨柱６１の上方において、各上側エレクションピース６５と各下側エレクションピース６３とが対向するように配置する。この上側の鉄骨柱６２のクレーンによる吊り上げは、公知の方法で行なうことができ、たとえば、上側の鉄骨柱６２の上端部に設けられる各上側エレクションピース６５の上側挿通孔６６に、吊り具を挿入して吊り上げればよい。
【００６５】
そして、下側の鉄骨柱６１の上端部に設けられている４つの下側エレクションピース６３のそれぞれに、４つの治具１をそれぞれ連結する。各治具１を各下側エレクションピース６３に連結するには、まず、図６に示すように、クレーンによって上側の鉄骨柱６２を徐々に下げ、治具１の下側取付部１０における右側ベースプレート５および左側ベースプレート６の間に下側エレクションピース６３を挿入して挟むようにする。
【００６６】
この挿入においては、上記したように、右側ベースプレート５および左側ベースプレート６の下端部の間が、その互いに対向する対向距離が下端縁部に向かって拡がるように形成されているので、下側エレクションピース６３を良好に誘い込んで、下側取付部１０において簡易かつ円滑に挟むことができる。そのため、従来では、この治具１を誘導するための作業者が４人程度必要とされていたが、この治具１を用いれば、２人程度でも良好な作業が可能であり、効率的な作業を達成することができる。
【００６７】
次いで、図７に示すように、下側挿通ボルト１４を、下側エレクションピース６３の下側挿通孔６４に挿通するとともに、これら右側ベースプレート５および左側ベースプレート６に螺着させる。これによって、この治具１が、下側エレクションピース６３に連結される。
【００６８】
その後、下側の鉄骨柱６１に対する上側の鉄骨柱６２の水平方向位置を、水平方向調整装置４を用いて調整する。すなわち、この調整は、まず、左側ベースプレート６の下側取付部１０の下側固定ボルト１５および１６を螺進させて、下側エレクションピース６３を、右側ベースプレート５に向けて押圧することにより、下側取付部１０を下側エレクションピース６３に対して固定する。なお、この固定においては、下側固定ボルト１５および１６の歯部７４が、下側エレクションピース６３の側面に食い込むので、下側エレクションピース６３は確実に固定される。
【００６９】
次いで、図８に示すように、たとえば、右側ベースプレート５および左側ベースプレート６の間の中心に対して上側エレクションピース６５が右側に偏っている場合には、工具（レンチ）により右側挿入部材２２の軸部３３ａを螺進させ、支持部２１に形成された右側ガイド溝２７に沿って、楔状に形成される先端部３４ａを右側ベースプレート５と上側エレクションピース６５の右側面との間に挿入する。そうすると、先端部３４ａに形成される傾斜面８２ａが、上側エレクションピース６５の右側の角に当接し、右側挿入部材２２の軸部３３ａの螺進とともに、その傾斜面８２ａの傾斜方向に沿って、上側エレクションピース６５が徐々に左方向に移動される。
【００７０】
そして、図９に示すように、たとえば、右側挿入部材２２の軸部３３ａを螺進させ過ぎて、右側ベースプレート５および左側ベースプレート６の間の中心に対して、上側エレクションピース６５が左側に偏ってしまった場合には、図１０に示すように、右側挿入部材２２の軸部３３ａを、一旦、螺退させて、右側挿入部材２２の傾斜面８２ａを上側エレクションピース６５の右側の角から離間させ、その後、左側挿入部材２３の軸部３３ｂを螺進させて、支持部２１に形成された左側ガイド溝２８に沿って楔状に形成される先端部３４ｂを左側ベースプレート６と上側エレクションピース６５の左側面との間に挿入する。そうすると、先端部３４ｂに形成される傾斜面８２ｂが、上側エレクションピース６５の左側の角に当接し、左側挿入部材２３の軸部３３ｂの螺進とともに、その傾斜面８２ｂの傾斜方向に沿って、上側エレクションピース６５が徐々に右方向に移動され、これにより、上側エレクションピース６５が右側ベースプレート５および左側ベースプレート６の間の中心に配置されるように調整される。
【００７１】
このように、この水平方向調整装置４では、上側エレクションピース６５の両側に対して、右側挿入部材２２および左側挿入部材２３を選択的に挿入し、これら右側挿入部材２２および左側挿入部材２３を進退させることによって、上側エレクションピース６５を水平方向両方向において徐々に移動させることができ、また、挿入方向に押圧することができるので、簡易かつ確実に、上側エレクションピース６５の移動を微調整して、下側の鉄骨柱６１に対する上側の鉄骨柱６２の水平方向位置を調整および固定することができる。
【００７２】
また、右側挿入部材２２および左側挿入部材２３は、その先端部３４ａおよび３４ｂにそれぞれ形成される傾斜面８２ａおよび８２ｂにおいて、上側エレクションピース６５の左右の角と当接されるので、損傷や変形が少なく、長期にわたって使用することができる。
【００７３】
さらに、右側挿入部材２２および左側挿入部材２３は、支持部２１に挿入され、軸部３３ａおよび３３ｂの螺進および螺退によって支持部２１からそれぞれ進退させるのみで、右側挿入部材２２および左側挿入部材２３の傾斜面８２ａおよび８２ｂを上側エレクションピース６５に正確に当接させることができるので、簡易な操作によって、確実な作業を達成することができる。
【００７４】
そして、上側エレクションピース６５が、右側ベースプレート５および左側ベースプレート６の間の中心に配置された後は、図１１に示すように、左側挿入部材２３の先端部３４ｂに形成される傾斜面８２ｂを、そのまま上側エレクションピース６５の左側の角に当接させた状態で、右側挿入部材２２の軸部３３ａを螺進させて、右側挿入部材２２の先端部３４ａに形成される傾斜面８２ａを、上側エレクションピース６５の右側の角に当接させることにより、上側の鉄骨柱６２の下側の鉄骨柱６１に対する水平方向位置を両側から確実に固定する。
【００７５】
この時、上側エレクションピース６５の両側面に当接される右側挿入部材２２の傾斜面８２ａおよび左側挿入部材２３の傾斜面８２ｂからの押圧力は、上側エレクションピース６５に対して、上側エレクションピース６５の側面に沿う方向と、それに直交する方向、つまり、上側の鉄骨柱６２の周方向との分力として作用する。
【００７６】
そのため、上側の鉄骨柱６２の周方向に作用する分力によって、上記したように、上側の鉄骨柱６２の水平方向位置の調整を確実に達成することができるとともに、水平方向位置の調整後においては、上側エレクションピース６５の側面に沿う方向の分力によって、上側エレクションピース６５を確実に位置固定することができ、たとえば、その後に鉛直方向位置を調整する時にも、水平方向位置がずれることを有効に防止することができる。
【００７７】
すなわち、実際には、４つの治具１が上側の鉄骨柱６２の４辺すべてにおいて各辺の上側エレクションピース６５に連結されるので、各上側エレクションピース６５は、右側挿入部材２２および左側挿入部材２３の先端部３４ａおよび３４ｂによって、各上側エレクションピース６５の側面に沿う上側の鉄骨柱６２の内側方向に押圧される。これによって、上側の鉄骨柱６２は各辺の上側エレクションピース６５からの押圧力によって、下側の鉄骨柱６１に対する水平方向位置が十分強固に固定される。
【００７８】
また、このような下側の鉄骨柱６１に対する上側の鉄骨柱６２の水平方向位置の調整とともに、図７に示すように、上部固定ボルト１７を螺進させて、上側エレクションピース６５の上面を下方に向けて押圧することにより、上側の鉄骨柱６２を下側の鉄骨柱６１に対して密着するように調整する。
【００７９】
さらに、図１２に示すように、ジャッキ装置３のボルト頭部５３をレンチ５９で回動させることにより、受け部材４７を昇降させて、上側エレクションピース６５の下面を、持ち上げ、または、持ち下げることにより、上側エレクションピース６５を適正位置で支持することにより、下側の鉄骨柱６１に対する上側の鉄骨柱６２の鉛直方向の姿勢を調整する。
【００８０】
なお、このような下側の鉄骨柱６１に対する上側の鉄骨柱６２の姿勢調整、すなわち、水平方向調整装置４による水平方向位置調整、上部固定ボルト１７による密着調整、および、ジャッキ装置３による鉛直方向の姿勢調整は、その順序は適宜決定すればよく、いずれが先後してもよい。
【００８１】
そして、下側の鉄骨柱６１に対する上側の鉄骨柱６２の姿勢調整が終了した後には、必要により、図１３に示すように、右側ベースプレート５の上側取付部９の上側固定ボルト１２および１３を螺進させて、上側エレクションピース６５を、左側ベースプレート６側に向けて押圧することにより、上側取付部９を上側エレクションピース６５に対してさらに強固に固定する。なお、この固定においては、上側固定ボルト１２および１３の歯部７４が、上側エレクションピース６５の側面に食い込むので、上側エレクションピース６５は確実に固定される。
【００８２】
これによって、下側エレクションピース６３に対する上側エレクションピース６５の移動が確実に規制されるので、たとえば、図１５に示すように、下側の鉄骨柱６１に接合された上側の鉄骨柱６２に、横梁６８などが組み付けられた場合において、その横梁６８の組み付け精度の誤差や、材料の残留応力、さらには、溶接時の引張り応力などによって、下側の鉄骨柱６１と上側の鉄骨柱６２との間の接合部分６９に変形応力が作用しても、その接合部分６９における位置ずれが有効に防止される。
【００８３】
なお、この治具１では、上記したように、右側挿入部材２２および左側挿入部材２３からの押圧力によって、上側エレクションピース６５の位置が確実に固定されるので、上側固定ボルト１２および１３は、必要に応じて、右側ベースプレート５（または、左側ベースプレート６）のみに設ければよく、部品点数の低減化によるコストの低減化を図ることができる。
【００８４】
そして、このようにして、下側の鉄骨柱６１に対する上側の鉄骨柱６２の姿勢を調整した後に、下側の鉄骨柱６１の上端部と、上側の鉄骨柱６２の下端部とを溶接または高力ボルトによって接合する。なお、この方法においては、各治具１によって、上側の鉄骨柱６２と下側の鉄骨柱６１とが連結されていれば、その後、適宜の時点において、クレーンの吊り具を、上側の鉄骨柱６２の上端部に設けられる各上側エレクションピース６５から取り外すようにすればよい。
【００８５】
このような治具１を用いることにより、簡易かつ確実に、下側の鉄骨柱６１に対する上側の鉄骨柱６２の位置調整が達成され、精度の良い建方を実現することができる。
【００８６】
なお、以上の説明においては、下側の鉄骨柱６１および上側の鉄骨柱６２は、その断面形状が略四角形状をなし、その外周面の各辺の中央部に形成される各下側エレクションピース６３および各上側エレクションピース６５のそれぞれに、各治具１を連結するようにしたが、下側の鉄骨柱６１および上側の鉄骨柱６２の形状は、何ら限定されず、たとえば、断面多角形状、断面円形状などであってもよく、また、各下側エレクションピース６３および各上側エレクションピース６５の数も限定されず、さらには、各治具１を、各下側エレクションピース６３および各上側エレクションピース６５に必ず対応させて連結する必要もない。
【００８７】
【発明の効果】
以上述べたように、請求項１に記載の発明によれば、簡易かつ確実に、エレクションピースの移動を微調整して、下側の鉄骨柱に対する上側の鉄骨柱の水平方向位置を調整および固定することができるとともに、損傷や変形が少なく長期にわたって使用することができ、しかも、簡易な操作によって、確実な作業を達成することができる。
【００８８】
請求項２に記載の発明によれば、下側の鉄骨柱に対する上側の鉄骨柱の水平方向位置の調整および固定を、より一層、簡易かつ確実に達成することができる。
【００８９】
請求項３に記載の発明によれば、鉄骨柱の周方向に作用する分力によって、水平方向位置の調整を確実に達成することができるとともに、エレクションピースの側面に沿う方向の分力によって、水平方向位置の調整後において、エレクションピースを位置固定することができ、たとえば、その後に、鉛直方向位置を調整した時にも、水平方向位置がずれることを有効に防止することができる。
【００９０】
請求項４に記載の発明によれば、より一層確実に、右側挿入部材および左側挿入部材を進退させて、先端部に形成される傾斜面を正確にエレクションピースに当接させることができ、しかも、より一層確実な作業を達成することができる。
【００９１】
請求項５に記載の発明によれば、右側挿入部材および左側挿入部材の進退方向の精度を向上させることができるとともに、製造コストの低減化を図ることができる。
【００９２】
請求項６に記載の発明によれば、水平方向位置の調整後に、移動規制手段によってエレクションピースの移動を規制して、下側の鉄骨柱に接合された上側の鉄骨柱に、横梁などが組み付けられた場合における接合部分の位置ずれを有効に防止することができる。また、移動規制手段は、右側ベースプレートまたは左側ベースプレートのいずれか一方のみに設ければよく、部品点数の低減化によるコストの低減化を図ることができる。
【図面の簡単な説明】
【図１】本発明の鉄骨建入直し調整治具の一実施形態としての治具を示す斜視図である。
【図２】図１に示す治具のジャッキ装置の要部断面図である。
【図３】図１に示す治具の水平方向調整装置の支持部の要部斜視図である。
【図４】図１に示す治具の水平方向調整装置の右側挿入部材の要部断面図である。
【図５】図１に示す治具の水平方向調整装置の要部斜視図である。
【図６】図１に示す治具を上側エレクションピースに連結した状態を示す正面図である。
【図７】図１に示す治具を上側エレクションピースおよび下側エレクションピースに連結した状態を示す正面図である。
【図８】図１に示す治具の水平方向調整装置の使用状態（右側挿入部材を挿入する状態）を説明するための平面断面図である。
【図９】図１に示す治具の水平方向調整装置の使用状態（エレクションピースを左方向に移動させる状態）を説明するための平面断面図である。
【図１０】図１に示す治具の水平方向調整装置の使用状態（エレクションピースを右方向に移動させる状態）を説明するための平面断面図である。
【図１１】図１に示す治具の水平方向調整装置の使用状態（エレクションピースを固定させる状態）を説明するための平面断面図である。
【図１２】図１に示す治具のジャッキ装置の使用状態を説明するための斜視図である。
【図１３】図１に示す治具の使用状態を示す正面図である。
【図１４】図１に示す治具に用いられる歯付き固定ボルトの一実施形態を示す、（ａ）は斜視図、（ｂ）は側断面図である。
【図１５】上側の鉄骨柱に横梁が組み付けられた状態を示す概略説明図である。
【符号の説明】
１      治具
４      水平方向調整装置
５      右側ベースプレート
６      左側ベースプレート
９      上側取付部
１０    下側取付部
１２    上側固定ボルト
１３    上側固定ボルト
２１    支持部
２２    右側挿入部材
２３    左側挿入部材
３３ａ  軸部
３３ｂ  軸部
３４ａ  先端部
３４ｂ  先端部
３６ａ  螺着部
３６ｂ  螺着部
６１    下側の鉄骨柱
６２    上側の鉄骨柱
６３    下側エレクションピース
６５    上側エレクションピース
８２ａ  傾斜面
８２ｂ  傾斜面
【図１】
0003581685.tif 000002
【図２】
0003581685.tif 000003
【図３】
0003581685.tif 000004
【図４】
0003581685.tif 000005
【図５】
0003581685.tif 000006
【図６】
0003581685.tif 000007
【図７】
0003581685.tif 000008
【図８】
0003581685.tif 000009
【図９】
0003581685.tif 000010
【図１０】
0003581685.tif 000011
【図１１】
0003581685.tif 000012
【図１２】
0003581685.tif 000013
【図１３】
0003581685.tif 000014
【図１４】
0003581685.tif 000015
【図１５】
0003581685.tif 000016